(57)【要約】      （修正有）【課題】狭い縦穴内においても、簡単かつ低コストにて、縦穴内の所望の位置に足場を設置することができる深礎杭足場用治具を提供する。【解決手段】深礎杭足場用治具Ｊは、深礎杭を構成するための鉄筋Ｓを内側に配置し、鉄筋をボルト１，２にて固定できる断面略Ｕ字状のチャンネル部１１と、チャンネル部の背面側に突出する支持部１２と、を有するベース部材１０と、ベース部材の支持部１２に対して着脱可能に装着され、水平方向に延びる足場受け部材２０と、を備える。【選択図】図１
0003200309.tif 000002
【実用新案登録請求の範囲】
【請求項１】
深礎杭を構成するための鉄筋を内側に配置し、当該鉄筋をボルトにて固定できる断面略Ｕ字状のチャンネル部と、当該チャンネル部の背面側に突出する支持部と、
を有するベース部材と、
当該ベース部材の前記支持部に対して着脱可能に装着され、水平方向に延びる足場受け部材と、
を備えていることを特徴とする深礎杭足場用治具。
【請求項２】
深礎杭を構成するための鉄筋を内側に配置し、当該鉄筋をボルトにて固定できる断面略Ｕ字状のチャンネル部と、当該チャンネル部の背面側に突出し上下方向に延びる板状の支持部と、
を有するベース部材と、
当該ベース部材の前記支持部に対して着脱可能に装着される足場受け部材であって、水平方向に延びる水平板部と、当該水平板部から下方に折り曲げられ、前記支持部に沿って上下方向に延びる垂直板部とを有する足場受け部材と、
を備えていることを特徴とする深礎杭足場用治具。
【請求項３】
深礎杭を構成するために上下方向に延びる鉄筋を内側に配置できる断面略Ｕ字状のチャンネル部と、
当該チャンネル部に形成された雌ネジ孔であって、内側に配置された鉄筋に当接して当該鉄筋をチャンネル部の内側に固定するためのボルトを装着できる雌ネジ孔と、
前記チャンネル部の開口部側をボルトにて封止し、鉄筋の抜け出しを防止するために当該チャンネル部に形成されたボルト孔と、
前記チャンネル部の背面側に突出し上下方向に延びる板状の支持部と、
を有するベース部材と、
当該ベース部材の前記支持部に対して着脱可能に装着される足場受け部材であって、水平方向に延びる水平板部と、当該水平板部から下方に折り曲げられ、前記支持部に沿って上下方向に延びる垂直板部とを有する足場受け部材と、
を備えていることを特徴とする深礎杭足場用治具。
【請求項４】
前記チャンネル部の開口部側をボルトにて封止し、鉄筋の抜け出しを防止するためのボルト孔は、径の異なる鉄筋に対応できるように、チャンネル部の底面からの距離が異なる位置に複数個形成されていることを特徴とする請求項３に記載の深礎杭足場用治具。
【請求項５】
前記ベース部材の前記支持部と、前記足場受け部材とは、上下一対の突起をダルマ孔に係合させることで互いに着脱可能となっていることを特徴とする請求項１〜４のいずれか一項に記載の深礎杭足場用治具。
【請求項６】
前記ダルマ孔は、大径部と連通する小径部がＬ字状に曲げられており、足場受け部材を安定して保持できるようになっていることを特徴とする請求項５に記載の深礎杭足場用治具。
【請求項７】
前記足場受け部材は、その先端部付近に透孔を備えており、ボルトや針金などを用いて隣接する他の深礎杭足場用治具と互いに連結することができるようになっていることを特徴とする請求項１〜６のいずれか一項に記載の深礎杭足場用治具。
【考案の詳細な説明】
【技術分野】
【０００１】
本考案は、深礎杭を建造する際に特に好適に使用できる深礎杭足場用治具に関するものであって、深礎杭を構成するために環状に配置された鉄筋に装着することで、足場を任意の位置に簡単に形成することができる深礎杭足場用治具に関するものである。
【背景技術】
【０００２】
従来、地面に掘削した縦穴に円柱状の深礎杭を形成するには、縦穴に配置した円筒状の鋼管杭の内側に上下方向に延びる鉄筋を環状に複数本配置し、コンクリートを流し込んで順次上方へ積み上げるようにしている。
【０００３】
そして、コンクリートを隙間無く流し込む作業を行うには、流し込んだコンクリートの上に鉄板を浮かせ、その上に作業員が乗って作業することが行われている。
このような作業形態では、作業員がコンクリートに沈み込んでしまい危険であるという問題や、流し込んだコンクリートが固まるまで次の鉄筋を繋げる作業ができず、コンクリートに継ぎ目ができてしまうという問題がある。
【０００４】
また、特許文献１においては、床板が設けられた複数の足場ユニットを吊り下げることで、縦穴内に足場を提供する発明が開示されているが、このような足場ユニットとそれを吊り下げる構造は大がかりなものとなり、設置作業に時間がかかるといった問題や、コストが増大するという問題がある。
【先行技術文献】
【特許文献】
【０００５】
【特許文献１】特開２００６−３０７５０５号公報
【考案の概要】
【考案が解決しようとする課題】
【０００６】
そこで、本考案が解決しようとする課題は、上記従来の問題を解決し、短時間の作業で簡単かつ低コストにて、縦穴内の所望の位置に足場を設置することができる深礎杭足場用治具を提供することを目的とする。
【０００７】
さらに、本考案は、コンパクトで軽量な形態とすることができ、狭い縦穴内においても足場を設置する作業を行いやすく、かつ、強固で安定性に優れた足場を設置することができる深礎杭足場用治具を提供することを目的とする。
【課題を解決するための手段】
【０００８】
上記課題を解決するため、請求項１に記載の本考案は、
「深礎杭を構成するための鉄筋を内側に配置し、当該鉄筋をボルトにて固定できる断面略Ｕ字状のチャンネル部と、当該チャンネル部の背面側に突出する支持部と、を有するベース部材と、
当該ベース部材の前記支持部に対して着脱可能に装着され、水平方向に延びる足場受け部材と、を備えている深礎杭足場用治具。」を特徴とする。
【０００９】
請求項２に記載の本考案は、
「深礎杭を構成するための鉄筋を内側に配置し、当該鉄筋をボルトにて固定できる断面略Ｕ字状のチャンネル部と、当該チャンネル部の背面側に突出し上下方向に延びる板状の支持部と、を有するベース部材と、
当該ベース部材の前記支持部に対して着脱可能に装着される足場受け部材であって、水平方向に延びる水平板部と、当該水平板部から下方に折り曲げられ、前記支持部に沿って上下方向に延びる垂直板部とを有する足場受け部材と、を備えている深礎杭足場用治具。」を特徴とする。
【００１０】
請求項３に記載の考案は、
「深礎杭を構成するために上下方向に延びる鉄筋を内側に配置できる断面略Ｕ字状のチャンネル部と、当該チャンネル部に形成された雌ネジ孔であって、内側に配置された鉄筋に当接して当該鉄筋をチャンネル部の内側に固定するためのボルトを装着できる雌ネジ孔と、前記チャンネル部の開口部側をボルトにて封止し、鉄筋の抜け出しを防止するために当該チャンネル部に形成されたボルト孔と、前記チャンネル部の背面側に突出し上下方向に延びる板状の支持部と、を有するベース部材と、
当該ベース部材の前記支持部に対して着脱可能に装着される足場受け部材であって、水平方向に延びる水平板部と、当該水平板部から下方に折り曲げられ、前記支持部に沿って上下方向に延びる垂直板部とを有する足場受け部材と、を備えている深礎杭足場用治具。」を特徴とする。
【００１１】
請求項４に記載の本考案は、
「前記チャンネル部の開口部側をボルトにて封止し、鉄筋の抜け出しを防止するためのボルト孔は、径の異なる鉄筋に対応できるように、チャンネル部の底面からの距離が異なる位置に複数個形成されている請求項３に記載の深礎杭足場用治具。」を特徴とする。
請求項５に記載の本考案は、
「前記ベース部材の前記支持部と、前記足場受け部材とは、上下一対の突起をダルマ孔に係合させることで互いに着脱可能となっている請求項１〜４のいずれか一項に記載の深礎杭足場用治具。」を特徴とする。
【００１２】
請求項６に記載の考案は、
「前記ダルマ孔は、大径部と連通する小径部がＬ字状に曲げられており、足場受け部材を安定して保持できるようになっている請求項５に記載の深礎杭足場用治具。」を特徴とする。
請求項７に記載の考案は、
「前記足場受け部材は、その先端部付近に透孔を備えており、ボルトや針金などを用いて隣接する他の深礎杭足場用治具と互いに連結することができるようになっている請求項１〜６のいずれか一項に記載の深礎杭足場用治具。」を特徴とする。
【考案の効果】
【００１３】
請求項１に記載の深礎杭足場用治具においては、ベース部材の断面略Ｕ字状のチャンネル部を鉄筋に嵌め込むことで、ボルトにてベース部材を鉄筋に対して迅速、簡単かつ確実に固定することができる。
そして、ベース部材の支持部に対して足場受け部材を装着することで、縦穴内に簡単に足場を設置することができるようになる。
【００１４】
また、この深礎杭足場用治具においては、ベース部材と足場受け部材とを別部材としているため、各部品をコンパクトで軽量なものとすることができ、狭い縦穴内においても手作業にて深礎杭足場用治具を鉄筋に固定することができる。
【００１５】
請求項２に記載の深礎杭足場用治具においては、上記請求項１に記載の考案による効果に加え、上下方向に延びる板状の支持部によって足場受け部材の垂直板部を効率よく強固に支えることができる。
【００１６】
請求項３に記載の深礎杭足場用治具においては、上記請求項２に記載の考案による効果に加え、チャンネル部に形成された雌ネジ孔にボルトを装着し、チャンネル部に形成されたボルト孔にボルトを装着することで、チャンネル部の内側に鉄筋を簡単かつ確実に固定することができる。
即ち、鉄筋に対してベース部材を簡単かつ確実に固定することができる。
請求項４に記載の深礎杭足場用治具においては、太さの異なる鉄筋に対応して最適なボルト孔にボルトを挿通し、チャンネル部内における鉄筋のガタつきを防ぎ、かつ、鉄筋からチャンネル部が外れ落ちることを確実に防止することができる。
【００１７】
請求項５に記載の深礎杭足場用治具においては、上下一対の突起をダルマ孔に嵌め込むことで、迅速かつ簡単にベース部材と、足場受け部材とを仮固定することができ、作業の負担を軽減することができる。
請求項６に記載の深礎杭足場用治具においては、ダルマ孔の大径部と連通する小径部がＬ字状に曲げられているため、突起がダルマ孔から抜け出しにくく、足場受け部材を安定して保持することができる。
請求項７に記載の深礎杭足場用治具においては、前記足場受け部材の先端部付近に設けた透孔により、隣接する他の深礎杭足場用治具と互いに連結することができ、広く強固な足場設置用の場所を提供することができる。
【図面の簡単な説明】
【００１８】
【図１】本考案の深礎杭足場用治具の平面図、正面図、側面図である。
【図２】本考案の深礎杭足場用治具の正面図である。
【図３】本考案の深礎杭足場用治具のチャンネル部と鉄筋を示す側面図である。
【図４】本考案の深礎杭足場用治具の先端部同士を連結した状態を示す平面図である。
【考案を実施するための形態】
【００１９】
以下、本考案を具体化した深礎杭足場用治具Ｊの一実施形態について説明する。
図１〜図４に示すように、本考案を具体化した深礎杭足場用治具Ｊは、断面略Ｕ字状のチャンネル部１１と、当該チャンネル部１１の背面側に突出する支持部１２と、を有するベース部材１０と、当該ベース部材１０の前記支持部１２に対して着脱可能に装着され、水平方向に延びる足場受け部材２０と、を備えている。
【００２０】
これらのベース部材１０及び足場受け部材２０は、好適には、一例として厚さ数ｍｍ程度の鉄板を曲げ加工したり、溶接加工することで製造できる強度に優れたものとして構成するとよい。
前記チャンネル部１１は、一例として長さが１５〜２０ｃｍ程度のものとすることができ、その開口部側から、深礎杭を構成するために上下方向に延びる鉄筋Ｓを内側に配置できるようになっている。
これらの鉄筋Ｓは、通常、深礎杭を構成するために地中に形成された丸い縦穴に入れられた円筒状の鋼管杭の内側にて環状に複数本配置されているものである。
【００２１】
さらに、前記チャンネル部１１の向き合った各壁面には、上下一対の雌ネジ孔１３が形成されている。
なお、本実施形態においては、前記チャンネル部１１の向き合った壁面に透孔を形成し、その透孔の外側にナットを溶接することで、前記雌ネジ孔１３を設けている。
そして、前記チャンネル部１１の外側から、これらの雌ネジ孔１３にボルト１を装着してねじ込むことで、前記チャンネル部１１の内側に配置された鉄筋Ｓに前記ボルト１の先端部が当接し、当該鉄筋Ｓを前記チャンネル部１１の内側に挟み込んで保持し、固定することができるようになっている（図１、図３など参照）。
【００２２】
さらに、前記チャンネル部１１の向き合った壁面には、当該チャンネル部１１の開口部側をボルト２にて封止し、鉄筋Ｓの抜け出しを確実に防止するために、前記雌ネジ孔１３の外側位置に複数個のボルト孔１４を有している。
前記ボルト孔１４は、径の異なる鉄筋Ｓに対応してそれらの鉄筋Ｓの外側の周面にボルト２が接することができるように、チャンネル部１１の底面からの距離が異なる位置に複数個上下に並ぶように一対ずつ形成されている（図１、図２参照）。
【００２３】
前記ベース部材１０の背面側に突出する前記支持部１２は、本実施形態において、上下方向に延びる四角板状の鋼板を前記チャンネル部１１の背面に溶接して固定することで形成されている。
そして、この支持部１２には、上下一対のダルマ孔１５，１６が透設されており、上側の前記ダルマ孔１５の大径部と連通する小径部１５ａは、真っ直ぐ下方へ延びているが、下側の前記ダルマ孔１６の大径部と連通する小径部１６ａは、下端部がＬ字状に曲げられるように形成されている。
また、前記支持部１２には、前記ダルマ孔１５，１６のほぼ中間位置において、透孔１７が形成されている。
【００２４】
前記足場受け部材２０は、水平方向に延びる長四角形状の水平板部２０ａと、当該水平板部２０ａから下方に折り曲げられ、前記支持部１２に沿って上下方向に延びる先端先細り形状の垂直板部２０ｂとを有している。
前記垂直板部２０ｂの一端部（基部）には、前記ダルマ孔１５，１６の大径部を通過できる頭部を有する上下一対の突起２１が形成されている。
また、前記垂直板部２０ｂには、上下一対の前記突起２１のほぼ中間位置において、透孔２２が形成されている。
【００２５】
前記ベース部材１０の前記支持部１２と、前記足場受け部材２０とは、上下一対の前記突起２１を前記ダルマ孔１５，１６に係合させることで互いに着脱可能となっている。
この際に、前記支持部１２の基部上端部には、略三角形状の切欠１２ａが形成されており、前記足場受け部材２０の先端側を斜め上に若干傾けて前記突起２１を前記ダルマ孔１５，１６に係合させることができるようになっている。
さらに、下側の前記突起２１を前記ダルマ孔１６の小径部１６ａに対応させることで、前記足場受け部材２０の水平板部２０ａを水平状態とし、かつ、前記足場受け部材２０を外れにくくして、前記支持部１２によって安定して保持できるようになっている。
【００２６】
そして、前記ベース部材１０の前記支持部１２に形成した前記透孔１７と、前記足場受け部材２０の前記垂直板部２０ｂに形成した前記透孔２２とにボルト３を挿通してナットにて締め付けることにより、前記足場受け部材２０と前記支持部１２とを確実に固定することができるようになっている。
【００２７】
また、前記足場受け部材２０は、その先端部付近に透孔２３を備えており、ボルト４や針金などを用いて隣接する他の深礎杭足場用治具Ｊと互いに連結することができるようになっている（図４参照）。
このように、２つの深礎杭足場用治具Ｊ同士を連結することにより、深礎杭足場用治具Ｊを単独で独立して使用する場合よりも、前記足場受け部材２０の水平板部２０ａの上に足場３０をより一層安定して設置することができる。
【００２８】
上記構成された深礎杭足場用治具Ｊにおいては、縦穴の周囲に配置された複数個の鉄筋Ｓに例えば１８０度間隔又は１２０度間隔にて複数個設置することで、それらの深礎杭足場用治具Ｊの水平板部２０ａ上に足場を載置することができる。
【００２９】
この深礎杭足場用治具Ｊを鉄筋Ｓに固定する手順は、図３に示すように、まず、チャンネル部１１の内側に鉄筋Ｓが配置されるように、鉄筋Ｓにチャンネル部１１を嵌め、雌ネジ孔１３にボルト１をねじ込むことで、チャンネル部１１の奥に鉄筋Ｓを配置した状態で固定する。
このボルト１には、ナットをさらに締め付けて緩み止めの処置を施すとよい。
また、ボルト１を締め込むことで、太さの異なる鉄筋Ｓであっても、チャンネル部１１の奥に鉄筋Ｓを配置した状態で固定することができる。
【００３０】
次に、なるべく鉄筋Ｓ寄りの位置のボルト孔１４にボルト２を挿通し、ナットにて固定することで、チャンネル部１１の開口部側を封止し、鉄筋Ｓの抜け出しを確実に防止する処置を施すことができる。
これらの作業は、ベース部材１０が金属製の堅牢な構造であってもコンパクトで軽量であるため、狭い縦穴内においても手作業にて容易に行うことができる。
なお、ボルト１を締め付ける作業に先だって、ボルト２をチャンネル部１１に固定する作業を行ってもよい。
【００３１】
次に、ベース部材１０の支持部１２に形成したダルマ孔１５，１６に対して足場受け部材２０の垂直板部２０ｂに形成した突起２１を嵌め込み、突起２１をダルマ孔の小径部１５ａ，１６ａに対応させることで、簡単かつ迅速にベース部材１０と足場受け部材２０とを仮固定できる。
次に、透孔１７，２２にボルト３を挿通し、ナットにて締め付けることで、ベース部材１０と足場受け部材２０とを確実に固定し、深礎杭足場用治具Ｊを縦穴内の所定位置に設置固定できる。
これらの作業も、足場受け部材２０が金属製の堅牢な構造であってもコンパクトで軽量であるため、狭い縦穴内においても手作業にて容易に行うことができる。
【００３２】
上記の深礎杭足場用治具Ｊは、縦穴内に単独で複数設置することで、それらの上に足場３０を設置してもよいが、２個の深礎杭足場用治具Ｊを並べて縦穴内に設置し、それらの垂直板部２０ｂの先端部に設けた透孔２３にボルト４を挿通し、ナットを用いて締め付けることで、より強固で広く安定した足場３０を設置する場所を提供することができる（図４参照）。
【００３３】
本考案の深礎杭足場用治具は、上記実施形態に限定されるものではなく、本考案の趣旨を逸脱しない範囲で前記ベース部材１０、前記足場受け部材２０の各部の大きさ、長さ、形状、材質、数量、配置などを適宜変更して実施してもよい。
【００３４】
例えば、（１）支持部１２として棒状の支持部を用いたり、（２）支持部１２を形成する位置を変更したり、（３）支持部１２に突起を形成し、足場受け部材２０にダルマ孔を形成したり、（４）支持部１２と足場受け部材２０とを直接ボルト及びナットにて固定するなど、それらの固定方法を変更したり、（５）透孔１７，２２を省略して実施したり、（６）チャンネル部１１、支持部１２、垂直板部２０ｂなどに直接雌ネジ孔を形成してボルトを螺合できるようにして実施したり、（７）足場受け部材２０として棒状又は箱形の足場受け部材を用いて実施したり、（８）軽合金又は合成樹脂から深礎杭足場用治具を製造してもよい。
【産業上の利用可能性】
【００３５】
以上のように、本考案の深礎杭足場用治具は、コンパクトで軽量であり、短時間の作業で簡単かつ低コストにて、縦穴内の所望の位置に足場を設置することができる深礎杭足場用治具として産業上利用可能である。
【符号の説明】
【００３６】
１〜４  ボルト
１０    ベース部材
１１    チャンネル部
１２    支持部
１２ａ  切欠
１３    雌ネジ孔
１４    ボルト孔
１５    ダルマ孔
１５ａ  小径部
１６    ダルマ孔
１６ａ  小径部
１７    透孔
２０    足場受け部材
２０ａ  水平板部
２０ｂ  垂直板部
２１    突起
２２    透孔
２３    透孔
３０    足場
Ｊ      深礎杭足場用治具
Ｓ      鉄筋
【図１】
0003200309.tif 000003
【図２】
0003200309.tif 000004
【図３】
0003200309.tif 000005
【図４】
0003200309.tif 000006